(57)【要約】【課題】  水受け板および手挿入室の壁面の水滴を確実に水受けトレイに導水でき、清潔感のある手乾燥装置を得ることを可能とする。【解決手段】  手を挿入できる手挿入室と高圧気流発生装置と、手挿入室に挿入された手に対し高圧気流をノズルにより噴出し手を乾燥する手乾燥装置において、水受け板の下方に、手挿入室の壁面から前記水受けトレイ内部方向へ延出する延出部を形成すると共に、該延出部の先端を下方に折曲する折曲部を形成し、該折曲部が前記水滴を前記水受けトレイ内部に導く位置に配設する。【選択図】  図３
2005185646.tif 000002
【特許請求の範囲】
【請求項１】
箱体の正面に開口した手を出し入れ可能な手挿入室と、前記手挿入室に挿入された手に対し高速気流を噴出する高圧気流発生装置と、該高速気流により吹き飛ばされた手の水滴を受ける、前記手挿入室の壁面との間に導水用の隙間を設けた前記手挿入室の下方に配設された水受け板と、前記手挿入室の壁面及び前記水受け板上の水滴を貯水する水受けトレイとからなる手乾燥装置において、前記水受け板の下方に、前期手挿入室の壁面から前記水受けトレイ内部方向へ延出する延出部を形成すると共に、該延出部の先端を下方に折曲する折曲部を形成し、該折曲部が前記水滴を前記水受けトレイ内部に導く位置に配設されたことを特徴とする手乾燥装置。
【請求項２】
前記延出部を、前記手挿入室の壁面から前記水受けトレイ内部方向へ下り勾配となるようにしたことを特徴とする請求項１に記載の手乾燥装置。
【発明の詳細な説明】
【技術分野】
【０００１】
本発明は、手洗い後の水滴を高速気流により吹き飛ばして乾燥させる手乾燥装置に係り、特に水受け板上及び壁面の水滴を確実に水受けトレイ内に導水するとともに運転時の低騒音化に好適な水受け部の構造に関する発明である。
【背景技術】
【０００２】
従来の技術資料の図１の斜視図に全体を示すように、従来の手乾燥装置は、前面を開放した本体箱体１内の上部に高圧空気流発生部２が組込まれ、本体箱体１内の下部に高圧空気流発生部２との間に手を出し入れできる処理空間３を形成して水受け部が設けられ、水受け部の下部に水受け部からの水を受容するドレン容器４が本体箱体１の前面からの抜差しを可能に設けられている。
【０００３】
高圧空気流発生部２は、処理空間３の上部左右に開口した吸込口５から空気を吸込み、高圧空気を生成して処理空間３の前面の手挿入口近傍において水分を吹飛ばす手乾燥に関する作動気流としての高速の気流を下向きに形成するものである。
処理空間３の底部は、排水孔６を有する水受け部として構成されている。この水受け部は、水受け部の下に収められるドレン容器４の投影平面積の内側に本体箱体１から張出した左右と背面にわたる導水枠７と、この導水枠７に係脱可能に保持させた水受け板８とにより構成されている。
【０００４】
導水枠７は、従来の図３や図４に示すように断面コ状または単純なフランジ状に構成され、本体箱体５１の内面に背後側へ下り勾配を持って設けられている。
水受け板８は、背面側に排水孔６を設けた平板であり、本体箱体５１の前面から導水枠７に棚状に抜差し可能に支持されている。
導水枠７と本体箱体５１との入隅部分は、水受け板８を外した状態では広く開放されているため当該部の清掃は容易である。
【０００５】
このように構成された手乾燥装置では、高圧空気により手から吹き飛ばされた水滴は、手挿入部３の壁面及び水受け板８に付着し、付着した水滴は傾斜した水受け板８上の水滴は高速気流により押し流されて背面側の排水孔６の方向へ移動するが、背面側近傍では壁面があるため、吹き出された高圧空気が壁面に反射して背面側近傍に乱気流が発生し、背面側近傍では高速気流による押し流し効果が小さくなる。
このため傾斜をかなり大きくとらないと、水受け板８の背面側近傍には水滴が残ることになる。又、排水孔６は導水枠７より内側に設けるため排水孔６より奥側に水が残ることになる。水受け板８は係脱自在のため、排水孔６より奥側に残った水や、手挿入部３の壁面に残った水滴は、ドレン容器４に落下すること無く、傾斜流となりながらの水受け板８の周辺縁から浸入し、箱体の壁面を伝わり本体箱体の底部に溜まり、溜水が多くなると本体箱体の外へ漏水するといった問題があった。
また、水受け部の清潔感を損なっていた。更に、水受け板に開口された穴を高速気体が通過する際に風切音を生じ運転音が大きくなるといった問題があった。
【特許文献１】特開２００３−１６４３９０号公報（第４頁、第１図〜第５図）
【発明の開示】
【発明が解決しようとする課題】
【０００６】
本発明は、上記問題を解決するためになされたもので、本発明の課題は、水受け板および手挿入室の壁面の水滴を確実に水受けトレイに導水でき、且つ、排水孔により発生する風切音を抑えた手乾燥装置を得ることである。
【課題を解決するための手段】
【０００７】
上記目的を達成するために請求項１記載の発明のよれば、箱体の正面に開口した手を出し入れ可能な手挿入室と、前記手挿入室に挿入された手に対し高速気流を噴出する高圧気流発生装置と、該高速気流により吹き飛ばされた手の水滴を受ける、前記手挿入室の壁面との間に導水用の隙間を設けた前記手挿入室の下方に配設された水受け板と、前記手挿入室の壁面及び前記水受け板上の水滴を貯水する水受けトレイとからなる手乾燥装置において、前記水受け板の下方に、前期手挿入室の壁面から前記水受けトレイ内部方向へ延出する延出部を形成すると共に、該延出部の先端を下方に折曲する折曲部を形成し、該折曲部が前記水滴を前記水受けトレイ内部に導く位置に配設した。
【０００８】
この構成によれば、水受け板上および手挿入室の壁面についた水滴は、前記水受けトレイ内部に導く位置に配設した先端を下方に折曲する延出部により、確実に水受けトレイ内部へ導くことができ、本体箱体の底部に水滴の溜まるのを防止でき、本体箱体から外部への漏水を防止することができる。
また、排水孔をなくすことで風切音を低減する事を可能とした。
【０００９】
また、請求項２記載の発明のよれば、前記延出部を、前記手挿入室の壁面から前記水受けトレイ内部方向へ下り勾配となるようにした。
この構成によれば、水受け板上および手挿入室の壁面についた水滴は、前記水受けトレイ内部に導く位置に配設した先端を下方に折曲する折曲部の下り勾配により、さらに流れやすくなり、延出部上の水滴残りをなくし清掃が簡単で衛生的となる。
【発明の効果】
【００１０】
本発明によれば、水受け板および手挿入室の壁面の水滴を確実に水受けトレイに導水でき、手乾燥装置からの漏水を防止することができると共に風切音を低減することができ、清潔感のある静かな手乾燥装置を得るという効果がある。
【発明を実施するための最良の形態】
【００１１】
図１〜図４によって示す本発明の実施の形態は、正面部分を除く大半の部分が壁に埋設された壁埋込型の手乾燥装置に関するものである。
図１は本発明の手乾燥装置を示す外観図であり、図２は本発明の手乾燥装置の構造を示す断面図である。
また、図３は本発明の手乾燥装置の第１の実施例の構造を示す局部詳細図であり、図４は本発明の手乾燥装置の第２の実施例の構造を示す局部詳細図である。
図１および図２において、本願発明である手乾燥装置Ａは、前面を開放した本体箱体５１であり、この前面開放部奥には開放部から手を挿入して手を乾燥させる手挿入室５２が形成されており、手挿入室５２の正面開口以外の三面は本体箱体５１で構成された壁面５１ａである。
【００１２】
図２に示すように、手挿入室５２の上側には高速気流を噴出す機能部Ｂが組み込まれており、表面カバー５６が機能部Ｂを覆うように取り付けられている。
機能部Ｂは、水密に製作されたヘアラインを施したステンレス製の本体箱体５１に着脱可能なようにねじ固定されており、メンテナンス時には本体箱体から取り出すことができる。
機能部Ｂの下方には、手挿入部２の上部奥側に開放された空気吸込口６１が開口されている。空気吸込口６１には壁面に飛散した水滴を吸込まないように水吸い込み防止板６１ａが壁面５１ａに対し略垂直に設けられており、水平方向から空気のみを吸込むようになっている。
また、手挿入室５２の下方には、水受け板５５と延出部５８と延出部５８からの水を受容する水受けトレイ５４とからなる水受け部Ｃが設けられている。
【００１３】
吸込まれた空気は吸気路設けられたフィルター６２を通過し、ターボファン６６の吸い込み側へ導かれる。フィルター６２は手挿入室５２側に設けられたフィルター取っ手６２ａを引っ張ることで取り外すことが可能であり、フィルター６２の清掃が容易にできる。
ターボファン６６により加圧された高圧空気は、ターボファン６６と手に対して高圧空気を噴出するノズル５９に連通した排気路６８内に設けられたＰＴＣヒーター６９により加熱されて、ノズル５９から噴出される。
ノズル５９は手挿入室５２の上部前面に設けられ、高圧空気の噴出角度は垂直よりやや後傾している。これにより、使用者側への水滴の飛散を押える効果がある。
ノズル５９の奥側に手挿入室５２に挿入された手を検出するためのセンサー６０が設けられている。センサー６０の検知距離は手挿入室５２の開口高さの約半分に設定している。
【００１４】
センサー６０が手を検知すると高圧気流発生装置５７のモーター６７が起動し、ターボファン６６により高圧空気が生成され、ノズル５９から６０〜１３０ｍ／秒の高速空気となって濡れた手に対して噴出される。
手挿入室５２の下方に設けられた水受け部Ｃは、水受け板５５が手挿入室５２の奥側に向かって後傾して設けられており、水受け板５５の両側面は下方に向けて折曲され、本体箱体５１の壁面５１ａにスポット溶接されている。
手挿入室５２の奥側の壁面５１ａと水受け板５５には隙間６４が設けられている。
水受け板５５の下方に設けられた延出部５８は水受けトレイ５４の上部開口５４ａに臨むように断面略コの字状で下方に折曲されており、壁面５１ａに水密に接着固定されている。
水受けトレイ５４はストッパー７０に係止されており、持ち上げて手前に引き抜くことができ水受けトレイ５４内の水を捨てることができる。また、半透明の樹脂により製作された水受けトレイ５４には本体箱体５１と同じヘアライン調の装飾を施した表面シート５４ｂが貼られている。また、表面シート５４ｂの一部に水位確認窓３を設けており、水受けトレイ内の水量を確認できる。
【００１５】
本願発明の内容を図３で詳細に説明する。
手挿入室５２の奥行きは約１６０ｍｍであり、ステンレス製の水受け板５５は手挿入室５２の手前側から奥側に向かって３°の緩傾斜を持っている。
水受け板５５と手挿入室５２の奥側の壁面５１ａとの隙間６４は１．５ｍｍである。水受け板５５の奥側の先端には下方に折曲され、この折曲部には３ｍｍのアール５５ｃが施されており、折曲した先端部は下方へ８ｍｍの長さの垂れ下がり部５５ｄを設けられている。
垂れ下り部５５ｄの下方には、延出部５８が壁面５１ａに沿って固着または一体的に配設されている。
延出部５８は一方の先端が水受けトレイ５４内に向くよう下方へ折曲され、折曲部には３ｍｍのアール５８ｂが施されており、折曲した先端部には下方へ６ｍｍの長さの屈折部５８ａが設けられている。また、延出部５８の他端は壁面５１ａに水密的に固着して設けられている。
【００１６】
これらの構造の手乾燥装置において、手から飛散した水滴は、壁面５１ａ及び水受け板５５に付着する。壁面５１ａに付着した水滴は自重により隙間６４から延出部５８を経て水受けトレイ５４へと導水される。
延出部５８は壁面５１ａに水密的に接着固定されているので、壁面５１ａに沿って漏水うることがない。また、延出部５８上の水滴は手挿入室５２の前面側の延出部５８の折曲した先端部方向に導水されるため、先端部が切り落とされた形状の場合のように、水滴が延出部５８の裏面を伝わり本体箱体５１の内壁に流れようとすることがなく、確実に水受けトレイ５４へ導水されることになる。
【００１７】
また、延出部５８にアール５８ｂを設けることにより、表面張力により延出部上に留まろうとする水滴が流れやすくなる。
更に、延出部５８に３°程度の傾斜５８ｃを設けることにより延出部上に留まろうとする水滴を減少できるため、確実に水受けトレイ５４に導水できると共に、延出部５８上の清潔性も保つことができる。
【００１８】
高速気流が隙間６４を通過する際に風切音が発生するが、隙間６４は壁面５１ａに近接して僅かな隙間で配設されているため、高速風は隙間６４から直に下方の延出部５８方向へ吸込まれることなく、高速風の殆どが壁面５１ａに当たり速度が減衰し、更に、垂れ下がり部５５ｄが形成されたことにより通気抵抗が大きくなることにより風速が小さくなるため風切音を抑えることができる。
また、垂れ下がり部５５ｄにより水受け板５５の剛性が向上するため、振動音の発生を抑えることもできる。
【００１９】
また、図４に示すように延出部５８を水受けトレイ側に傾斜させれば、延出部５８上にとどまる水を減少でき確実に水受けトレイ５４へ導水することができる。
【図面の簡単な説明】
【００２０】
【図１】本発明の手乾燥装置を示す外観図である。
【図２】本発明の手乾燥装置の構造を示す断面図である。
【図３】本発明の手乾燥装置の、第１の実施例の構造を示す局部詳細図である。
【図４】本発明の手乾燥装置の、第２の実施例の構造を示す局部詳細図である。
【符号の説明】
【００２１】
Ａ…手乾燥装置
Ｂ…機能部
Ｃ…水受け部
５１…本体箱体
５１ａ…壁面
５２…手挿入室
５３…水位確認窓
５４…水受けトレイ
５４ａ…上部開口
５４ｂ…表面シート
５５…水受け板
５５ｃ、５８ｂ…アール
５５ｄ…垂れ下がり部
５６…表面カバー
５７…高圧気流発生装置
５８…延出部
５８ａ…折曲部
５８ｃ…傾斜
５９…ノズル
６０…センサー
６１…吸込口
６１ａ…水吸い込み防止板
６２…フィルター
６２ａ…フィルター取っ手
６３…水滴
６４…隙間
６５…吸気路
６６…ターボファン
６７…モーター
６８…排気路
６９…ＰＴＣヒーター
７０…ストッパー
７１…水の流れ
【図１】
2005185646.tif 000003
【図２】
2005185646.tif 000004
【図３】
2005185646.tif 000005
【図４】
2005185646.tif 000006